(57)【要約】  正極電極と負極電極とをセパレーターを介して積層または巻回した電極体と、前記電極体から取り出した複数個の正極タブ、複数個の負極タブと、前記複数個の正極タブと正極引出タブとの接合部と、前記複数個の負極タブと負極引出タブとの接合部を備え、前記接合部の正極タブまたは正極引出タブの表面、前記接合部の負極タブまたは負極引出タブの表面には、金属板の一部が配置されて一体的に接合され、前記金属板の残余の部分が前記各接合部に巻き付けられたリチウムイオン二次電池。【選択図】  図１
2013031937.tif 000002
【特許請求の範囲】
【請求項１】
正極電極と負極電極とをセパレーターを介して積層または巻回した電極体と、前記電極体から取り出した複数個の正極タブ、複数個の負極タブと、前記複数個の正極タブと正極引出タブとの接合部と、前記複数個の負極タブと負極引出タブとの接合部を備え、前記接合部の正極タブまたは正極引出タブの表面、前記接合部の負極タブまたは負極引出タブの表面には、金属板の一部が配置されて一体的に接合され、前記金属板の残余の部分が前記各接合部に巻き付けられたことを特徴とするリチウムイオン二次電池。
【請求項２】
前記金属板は、前記接合部の両面に巻き付けられたことを特徴とする請求項１記載のリチウムイオン二次電池。
【請求項３】
前記金属板は、前記接合部と接合した部分から一周以上を巻き付けられたことを特徴とする請求項１または２のいずれか１項記載のリチウムイオン二次電池。
【請求項４】
前記金属板を前記接合部と接合した部分に形成された表面異常部に折り重ねた後に、前記接合部の外周を反対面に形成された表面異常部を覆う部分まで巻き付けられたことを特徴とする請求項１から３のいずれか１項記載のリチウムイオン二次電池。
【請求項５】
前記金属板を前記接合部に接合した部分のいずれか一箇所に前記金属板が巻き付けられたことを特徴とする請求項１から４のいずれか１項記載のリチウムイオン二次電池。
【請求項６】
前記接合部および前記金属板は、合成樹脂層で被覆されたことを特徴とする請求項１から５のいずれか１項記載のリチウムイオン二次電池。
【請求項７】
前記合成樹脂層が変性ポリフェニレンエーテル層であることを特徴とする請求項６記載のリチウムイオン二次電池。
【発明の詳細な説明】
【技術分野】
【０００１】
本発明は、リチウムイオン二次電池に関して、特性が優れた正極引出タブ、負極引出タブを設けたリチウムイオン二次電池に関する。
【背景技術】
【０００２】
正極電極と負極電極とをセパレーターを介して積層または巻回したリチウムイオン二次電池は、正極、負極の面積を大きくしたり、積層する場合には正極、負極の枚数を増加することによって単位電池当たりの容量を大きくすることが容易であるので、充放電容量が大きな電池として好適である。
リチウムイオン二次電池では、正極電極は、集電体の帯状のアルミニウム箔面に、粒子状の正極活物質、導電性材料、結着剤等を混合した正極用スラリーを部分的に塗布、乾燥した後，所定の大きさに切断することによって製造している。負極電極も同様に、集電体の帯状の銅箔面に、粒子状の負極活物質、導電性材料、結着剤等を混合した負極用スラリーを間欠的に塗布、乾燥後、所定の大きさに切断することによって製造している。【０００３】
リチウムイオン二次電池では、複数の正極電極と負極電極とをセパレーターを介して重ねて電池要素を作製した後に、各電極の集電体と一体に形成した電極タブ、あるいは集電体に導電部材を接合することによって作製した電極タブのそれぞれを、強度が大きな正極引出タブ、負極引出タブを超音波接合等によって接合した後に外装体に収容して封口を行っている。
金属箔等の厚みが薄い部材を超音波接合する際には、超音波接合時に電極引出タブ等の厚みが小さい部材が損傷を受けることが知られており、保護部材を介在させて保護部材とともに接合する方法が数多く提案されている（例えば、特許文献１参照）。
【先行技術文献】
【特許文献】
【０００４】
【特許文献１】特開平９−２０６９６３号公報
【発明の概要】
【発明が解決しようとする課題】
【０００５】
金属箔製の正極タブ、負極タブを、正極引出タブ、負極引出タブのそれぞれに超音波接合によって接合する際には、接合部の超音波ホーンの当接側に保護用の金属板を配置して超音波接合する方法によって、接合部の金属箔の損傷等を防止することが可能である。しかしながら、超音波接合時に接合部にバリ、突起等が生じることは避けられなかった。また、電池の有効電極面積を大きくするためには、接合部を電池電極の活物質塗布面にできるだけ近づけることが必要となるが、活物質塗布面に近づけるほど、接合部の溶接後に保護用の金属板を切断する作業は困難となるという問題があった。【０００６】
図６は、正極電極と負極電極とをセパレーターを介して積層した電極積層体を説明する図である。図６Ａは、電極積層体の平面図である。また、図５６は、図６ＡにおけるＢ−Ｂ’線での断面を説明する図である。
正極電極と負極電極とをセパレーターを介して積層した電極積層体４００には、正極引出タブ１１５、負極引出タブ２１５が取り付けられている。
複数枚の金属箔製の正極タブ１０５と正極引出タブ１１５との接合部１１０は、金属板１２０を保護部材として配置して接合して一体化したものであって、正極タブ１０５と正極引出タブ１１５は損傷を生じることなく接合部１１０を形成することが可能である。
しかしながら、超音波接合によって接合する際には、凹凸面を有するアンビル上に正極引出タブ１１５を載置して、その上面の所定の個所に複数の正極タブ１０５を重ねて配置し、正極タブ１０５上には、保護部材として金属板１２０を配置して、金属板１２０に超音波接合装置のホーンを当接して超音波接合を行うと、正極引出タブ１１５、金属板１２０の表面には、バリ、突起等の表面異常部１４０が生じることは避けられなかった。【０００７】
正極引出タブ１１５との接合部に生じたバリ、突起等の表面異常部１４０は、電池が大きな衝撃、振動を受けた場合に電極体が電池外装体内を移動した際に、電池構成部材と接触して短絡を生じる可能性が考えられる。また、フィルム状外装材が電池外装体の場合には、生じたバリ、突起等がフィルム状外装材を傷つける可能性も考えられる。【０００８】
本発明は、正極引出タブ、負極引出タブの接合部に生じたバリ、突起等の表面異常部１４０によって、電池内部での短絡やフィルム状外装材に損傷を及ぼすことがないリチウムイオン二次電池を提供することを課題とするものである。
【課題を解決するための手段】
【０００９】
本発明は、上記課題を解決するものであって、正極電極と負極電極とをセパレーターを介して積層または巻回した電極体と、前記電極体から取り出した複数個の正極タブ、複数個の負極タブと、前記複数個の正極タブと正極引出タブとの接合部と、前記複数個の負極タブと負極引出タブとの接合部を備え、前記接合部の正極タブまたは正極引出タブの表面、前記接合部の負極タブまたは負極引出タブの表面には、金属板の一部が配置されて一体的に接合され、前記金属板の残余の部分が前記各接合部に巻き付けられたリチウムイオン二次電池である。
前記金属板は、前記接合部の両面に巻き付けた前記のリチウムイオン二次電池である。
前記金属板は、前記接合部と接合した部分から一周以上を巻き付けた前記のリチウムイオン二次電池である。
前記金属板を前記接合部と接合した部分に形成された表面異常部に折り重ねた後に、前記接合部の外周を反対面に形成された表面異常部を覆う部分まで巻き付けられ前記のリチウムイオン二次電池である。
前記金属板を前記接合部に接合した部分のいずれか一箇所に前記金属板が巻き付けられた前記のリチウムイオン二次電池である。
前記接合部および前記金属板は、合成樹脂層で被覆された前記のリチウムイオン二次電池である。
前記合成樹脂層が変性ポリフェニレンエーテル層である前記のリチウムイオン二次電池である。
【発明の効果】
【００１０】
本発明に係るリチウムイオン二次電池は、正極電極、負極電極のそれぞれの引出タブと、正極引出タブ、負極引出タブとの接合部は、金属板を配置して接合するとともに、前記金属板の残余の部分を接合部の外周面の両面に巻き付けたので、接合部に生じたバリ、凹凸部を金属板で覆うことができるので、電池に衝撃が加わって電池内部で電極体が移動した場合であっても、接合部に生じたバリ、突起、凹凸部等の表面異常部が電池構成部材と接触して障害を発生することを防止したので、信頼性が大きなリチウムイオン二次電池の提供が可能となる。
【図面の簡単な説明】
【００１１】
【図１】図１は、本発明のリチウムイオン二次電池の一実施形態の説明する図である。図1Ａは、積層型リチウムイオン電池の平面図を示す。図１Ｂは、正極引出タブの中心線である図１ＡのＡ−Ａ’の位置における断面図を説明する図であって、電池電極の積層方向を拡大した図である。
【図２】図２は、本発明のリチウムイオン二次電池の一実施形態の電極積層体を説明する図である。図２Ａは、平面図を示し、図２Ｂは、製造過程での図２ＡのＡ−Ａ’の位置における断面図であって拡大した図を示す。図２Ｃは、作製後の図２ＡのＡ−Ａ’の位置における断面図を説明する拡大した図を示す。
【図３】図３は、本発明リチウムイオン二次電池の他の実施形態の電極積層体を説明する図である。図３Ａは、平面図を示し、図３Ｂは、図３ＡのＡ−Ａ’の位置における断面図であって拡大した図を示す。
【図４】図４は、本発明の他の実施形態を説明する図であり、図４は、図２，図３において、Ａ−Ａ’線で示す正極側接合部の作製工程を順を追って説明する断面図である。
【図５】図５は、本発明のリチウムイオン二次電池の他の実施形態の説明する図であって、図１における電池が巻回形電池である場合のＡ−Ａ’における断面図である。
【図６】図６は、従来のリチウムイオン二次電池の電極積層体を説明する図である。図６Ａは、平面図を示す。図６Ｂは、図６ＡにおけるＢ−Ｂ’の位置における断面図であって拡大した図を示す。
【発明を実施するための形態】
【００１２】
以下に、図面を参照して積層型のリチウムイオン二次電池を例にして本発明を説明する。
図１に示すように、本発明の積層型リチウムイオン二次電池１は、正極電極１００と負極電極２００がセパレーター３００を介して積層された電極積層体４００を形成しており、電極積層体４００から同一方向に取り出された複数の正極タブ１０５と接合した正極引出タブ１１５、および複数の負極タブ２０５と接合した負極引出タブ２１５が取り出されている。
正極引出タブ１１５と負極引出タブ２１５は、それぞれフィルム状外装材５００の封口部５１０から取り出される。また、前記封口部の正極引出タブ１１５、負極引出タブ２１５には、正極引出タブ１１５、負極引出タブ２１５とフィルム状外装材５００との間のガスケット部５２０が設けられて、封口特性を高める作用を果たしている。
また、正極引出タブ１１５は、正極タブ１０５と、超音波接合によって接合部１１０において接合している。負極引出タブについても正極引出タブと同様に負極タブとを超音波溶接によって接合部において接合している。
【００１３】
本発明で用いる正極電極としては、帯状のアルミニウム箔からなる正極集電体上に、リチウムマンガン複合酸化物、リチウムコバルト複合酸化物、リチウムニッケル複合酸化物等と、カーボンブラック等の導電性材料、ポリフッ化ビニリデン等の結着剤等をＮ−メチル−２−ピロリドンに分散させてスラリー状とし、このスラリー状の正極合剤を正極集電体上に間欠的に両面に塗布し、乾燥後、ローラープレス機等によって圧縮して成型を行った正極電極基材を製造した後に、所定の大きさに切断することによって製造することができる。
【００１４】
また、負極電極としては、帯状の銅箔の負極集電体上に、リチウムイオンを吸蔵、放出する炭素材料、カーボンブラック等の導電性材料、ポリフッ化ビニリデン等の結着剤等をＮ−メチル−２−ピロリドンに分散させてスラリー状とし、このスラリー状の負極合剤を負極集電体上に間欠的に両面に塗布し、乾燥後、ローラープレス機等によって圧縮して成型を行って負極電極基材を製造した後に正極電極と同様の方法で負極電極を作製することができる。
【００１５】
また、フィルム状外装材には、アルミニウム箔の外面側にはナイロン、ポリエチレンテレフタレート等の強度、および耐熱性を有する部材を、内面側には、ポリプロピレン、ポリエチレン等の熱融着特性が良好な材料をそれぞれ積層したものを用いることができる。
本発明のリチウムイオン二次電池の外装材には、上記したようなフィルム状外装材に限らず、凹部を形成した合成樹脂の成形体、金属製の外装容器等を用いたものであってもよい。
【００１６】
以下に、図２を参照して本発明の電極体を説明する。
以下、図２，図３、図４では、正極電極、負極電極ともに構成材料を除き，同様の構造を有しているので、正極電極を中心に説明する。
図２Ａに示すように、電極積層体４００は、正極電極１００と負極電極２００とをセパレーター３００を介して積層して、正極電極１００、負極電極２００、セパレーター３００が位置ずれをしないように、粘着テープ４１０によって固定したものである。
複数の正極タブ１０５は、正極引出タブ１１５と接合部１１０において接合されている。また、負極引出タブ２１５および負極引出端子２０５も、接合部２１０において接合されている。
【００１７】
図２Ｂは、図２ＡにおいてＡ−Ａ’線で示す断面図である。
正極引出タブ１１５を、超音波接合装置のアンビルに載置し、正極引出タブ１１５上に複数の正極タブ１０５を載置し、更に正極タブ１０５の上面に金属板１２０を載置して、超音波接合装置のホーンを当接することで、一体に接合部１１０を形成したものである。
次いで、図２Ｃに示すように、金属板１２０を正極引出タブ側へと折り曲げることによって接合部１１０が完成する。
接合部１１０は、正極引出タブ上に生じた表面異常部１４０Ａが金属板１２０によって覆われているので、表面異常部による損傷等のおそれのない特性の優れた電極体を備えたリチウム二次電池を提供することができる。
また、接合部１１０の金属板１２０の表面にも表面異常部１４０Ｂが形成されているが、正極引出タブ１１５は、金属板１２０に比べて厚みが厚い材料であると共に、硬度も金属板に比べて大きい。超音波溶接によって生じる表面異常部のバリ、突起、凹凸は、硬度が大きな金属に形成された場合の方が外装材を傷をつける可能性が高い。したがって、表面異常部の両者を共に覆うことが好ましいが、電池の構造によっては、硬度が大きな正極引出タブ１１５に形成された表面異常部１４０Ａのみを覆うようにすることもできる。
【００１８】
次に、図３を参照して本発明の他の実施形態の電極体を説明する。
図３で示す電極積層体４００も、正極電極１００と負極電極２００をセパレーター３００を介して積層して、正極電極、負極電極、セパレーターが位置ずれをしないように、粘着テープ４１０によって固定したものである。
複数の正極タブ１０５は、正極引出タブ１１５と接合部１１０において接合されている。おり、負極引出タブ２１５および負極引出端子２０５も、接合部２１０において接合されている。
図３Ａにおいて、Ａ−Ａ’線で示す断面を図３Ｂで示すように、金属板１２０は、接合部から一周を越えて更に接合部を覆うように延びているので、金属板１２０は、正極引出タブ１１５上に生じた表面異常部１４０Ａのみではなく、金属板１２０の表面に生じた表面異常部１４０Ｂも覆われているので、表面異常部による損傷等の発生をより確実になくすことが可能な特性の優れた電池を提供することができる。
【００１９】
また、接合部１１０、２１０を覆う金属板には、それぞれ正極引出タブ、負極引出タブと同一の材質の材料を用いることができる。具体的には、正極側の金属板には、正極引出タブと同じ材質であるアルミニウムを、また負極側の金属板には、負極引出タブと同じ材質であるニッケル、またはニッケルめっき銅板、ニッケルで覆われたニッケル銅クラッド材を用いることができる。
【００２０】
正極側接合部１１０，負極側接合部２１０はいずれも絶縁性物質で表面を覆うことによって、衝撃を受けた場合に電池構成部材に与える影響をより小さくすることが可能となる。
絶縁性物質としては、リチウムイオン二次電池で使用する電解液等に悪影響を与えない物質であれば、任意の材料を用いることができるが、変性ポリフェニレンエーテルを用いることが好ましい。
【００２１】
次に、図４を参照して本発明の他の実施形態の電極体を説明する。
図４は、図２，図３において、Ａ−Ａ’線で示す正極側接合部の作製工程を説明する断面図である。
図４Ａは、正極引出タブ１１５を、超音波接合装置のアンビルに載置し、正極引出タブ１１５上に複数の正極タブ１０５を載置し、更に正極タブ１０５の上面に金属板１２０を載置して、超音波接合装置のホーンを当接することで、一体に正極側接合部１１０を形成したものである。
【００２２】
次いで、図４Ｂに示すように、金属板１２０の接合によって形成された表面異常部１４０Ｂを覆うように金属板１２０を表面異常部に折り重ねて正極引出タブ側とは反対側に折り曲げる。
更に、図４Ｃに示す様に、金属板１２０を正極側接合部１１０の表面に沿って折り曲げて、正極引出タブ側に形成された表面異常部１４０Ａの表面を覆うことで完成する。
正極側接合部１１０は、接合時に正極引出タブ上に生じた表面異常部１４０Ａのみではなく、金属板上に生じた表面異常部１４０Ｂも覆われているので損傷等のおそれのない特性の優れた電極体を備えたリチウム二次電池を提供することができる。
【００２３】
また、接合部１１０、２１０を覆う金属板には、それぞれ正極引出タブ、負極引出タブと同一の材質の材料を用いることができる。具体的には、正極側の金属板には、正極引出タブと同じ材質であるアルミニウムを用いる。また負極側の金属板には、負極引出タブと同じ材質であるニッケル、または銅にニッケルめっき、クラッドに表面がニッケルで覆われたクラッド体を用いることができる。
また、負極側についても同様に作製することができる。
【００２４】
本発明においては、正極電極と負極電極とをセパレーターを介して繰り返し重ねた積層型のリチウムイオン二次電池を用いて発明を説明してが、正極電極と負極電極とを、正極電極／セパレーター／負極電極／セパレーターの順に介してから巻回した巻回形の二次電池にも適用可能である。
図５は、図１における電池が巻回形電池である場合のＡ−Ａ’における断面図である。本例における巻回形の電極引出タブ１０５は、集電体に導電部材を接合することによって正極タブおよび負極タブを形成してもよいし、これらの引出タブを集電体と一体に形成することもできる。正極タブ１０５は、正極側接合部１１０を介して当該正極タブ１０５よりも強度が大きな正極引出タブ１１５と超音波接合によって接合し、負極側についても正極側と同様に、負極側接合部を介して当該負極タブよりも強度が大きな負極引出タブと超音波接合によって接合した後に外装体に収容して封口を行っている。
正極側接合部および負極側接合部は、積層型リチウムイオン電池について説明したものと同様にすることで、表面異常部による損傷等の発生が低減された電池を提供することができる。
【００２５】
また、正極側については、正極タブ、金属板、正極引出タブはいずれもアルミニウムを用いることができる。一方、負極側については、負極タブには、ニッケルめっき銅板、またはニッケル板を用いることができ、金属板にはニッケル板を用いることができる。
本発明においては、正極側、負極側の両者の接合部に金属板によって表面異常部を覆うことが好ましいが、構成部材の硬度が大きく、正極側に比べて損傷が生じる可能性がある負極側の表面異常部のみをを覆っても良い。
【産業上の利用可能性】
【００２６】
本発明は、正極電極、負極電極の引出タブを、正極引出タブ、負極引出タブとそれぞれ超音波接合によって接合した接合部を、接合部の保護部材として用いた金属板によって接合部を覆うようにしたので、超音波溶接によって接合部に生じた表面異常部によって、短絡を生じたり、構成部材が損傷を受ける等の問題が生じることがないので、特性の優れたリチウムイオン二次電池を提供することができる。
【符号の説明】
【００２７】
１・・・積層型リチウムイオン二次電池、１００・・・正極電極、２００・・・負極電極、２０５・・・負極タブ、２１０・・・接合部、３００・・・セパレーター、４００・・・電極積層体、１０５・・・正極タブ、１１０・・・接合部、１１５・・・正極引出タブ、１２０・・・金属板、１４０，１４０Ａ，１４０Ｂ・・・表面異常部、２０５・・・負極タブ、２１５・・・負極引出タブ、５００・・・フィルム状外装材、５１０・・・封口部、５２０・・・ガスケット部、４１０・・・粘着テープ
【図１】
2013031937.tif 000003
【図２】
2013031937.tif 000004
【図３】
2013031937.tif 000005
【図４】
2013031937.tif 000006
【図５】
2013031937.tif 000007
【図６】
2013031937.tif 000008
【国際調査報告】
2013031937.tif 000009
2013031937.tif 000010
2013031937.tif 000011
2013031937.tif 000012